(57)【要約】【課題】ダンパ機構の合理化構造を有する空気調和機を提供する。【解決手段】エアフィルター２と、移動可能に設けられると共に前記エアフィルター２に付着したホコリを吸引する吸引ノズル３と、ファン（図示せず）を内蔵すると共に、吸引ノズル３と連通した排塵・換気装置６と、排塵・換気装置６の排気側と屋外とを連通するホース８と、排塵・換気装置６に設けられた換気口１１と、換気口１１を開閉する扉１３とを備え、扉１３を、吸引ノズル３に設けた突起９で開成するようにしたもので、扉１３を閉じた状態では、吸引ノズル３でエアフィルター２から吸引したホコリをホース８を通して室外に排出でき、扉１３を開いたときには、換気口１１から多量の空気を吸引して、換気と共に、排塵・換気装置６内に残ったホコリをホース８を介して室外に排出でき、更に、扉１３を動作させるためのステッピングモータなどが不要となり、構造の合理化ができる。【選択図】図１
2010139084.tif 000002
【特許請求の範囲】
【請求項１】
熱交換器と、送風機と、エアフィルターと、移動可能に設けられると共に前記エアフィルターに付着したホコリを吸引する吸引ノズルと、ファンを内蔵すると共に、前記吸引ノズルと連通した排塵・換気装置と、前記排塵・換気装置の排気側と屋外とを連通するホースと、前記排塵・換気装置に設けられた換気口と、前記換気口を開閉する扉とを備え、前記扉を、前記吸引ノズルに設けた突起で開成するようにした空気調和機。
【請求項２】
吸引ノズルを左右に移動可能に設け、前記吸引ノズルが一側に移動したときに、前記吸引ノズルの突起が扉に当接して前記扉を開成すると共に、前記扉を閉じる方向に回動付勢するバネを設けた請求項１に記載の空気調和機。
【発明の詳細な説明】
【技術分野】
【０００１】
本発明は、空気調和機に関するもので、特に、室内機のエアフィルターの自動清掃が可能なエアフィルター清掃セットを備えた空気調和機に関するものである。
【背景技術】
【０００２】
従来、ファンにより吸込んだ空気を熱交換器で冷却もしくは加熱した後、室内へ送風する空気調和機では、吸込む空気中に漂う塵埃が空気調和機の本体内部へ侵入するのを防ぐため、空気調和機の吸込口裏面にエアフィルターが設けられており、このエアフィルターは、それに付着した塵埃を手で清掃できるように着脱自在に設けられているか、或いは運転時に自動清掃する装置を具備している空気調和機がある。
【０００３】
エアフィルターの自動清掃が容易な空気調和機としては、換気機能と排塵機能をそなえたフィルタ清掃装置を具備しており、フィルタと、吸い込みノズルと、開口部と、ダンパ機構を具備し、ダンパ機構を動作させ、扉をステッピングモータで駆動し開閉する構成としている（例えば、特許文献１参照）。
【特許文献１】特開２００７−１０１１０７号公報
【発明の開示】
【発明が解決しようとする課題】
【０００４】
しかしながら、上記特許文献１に記載された従来の空気調和機の構成では、ダンパ機構として扉をステッピングモータで駆動し開閉する手段が用いられており、ステッピングモータとステッピングモータを動作せしめる制御装置と配線が必要になりコスト高になる、という課題があった。
【０００５】
本発明は、前記従来の課題を解決するもので、ダンパ機構の合理化構造を有する空気調和機を提供することを目的とする。
【課題を解決するための手段】
【０００６】
前記従来の課題を解決するために、本発明の空気調和機は、熱交換器と、送風機と、エアフィルターと、移動可能に設けられると共に前記エアフィルターに付着したホコリを吸引する吸引ノズルと、ファンを内蔵すると共に、前記吸引ノズルと連通した排塵・換気装置と、前記排塵・換気装置の排気側と屋外とを連通するホースと、前記排塵・換気装置に設けられた換気口と、前記換気口を開閉する扉とを備え、前記扉を、前記吸引ノズルに設けた突起で開成するようにしたもので、扉を閉じた状態では、吸引ノズルでエアフィルターから吸引したホコリをホースを通して室外に排出でき、扉を開いたときには、換気口から多量の室内の空気を吸引して、換気が出来ると共に、排塵・換気装置内に残ったホコリをホースを介して室外に排出でき、更に、扉の開成を前記吸引ノズルに設けた突起で行うので、扉を動作させるためのステッピングモータや、ステッピングモータを制御する制御装置、配線などが不要となり、構造の合理化を行うことができる。
【発明の効果】
【０００７】
本発明の空気調和機は、扉を閉じた状態では、吸引ノズルでエアフィルターから吸引したホコリをホースを通して室外に排出でき、扉を開いたときには、換気口から多量の室内の空気を吸引して、換気が出来ると共に、排塵・換気装置内に残ったホコリをホースを介して室外に排出でき、更に、扉の開成を前記吸引ノズルに設けた突起で行うので、扉を動作させるためのステッピングモータや、ステッピングモータを制御する制御装置、配線などが不要となり、構造の合理化を行うことができる。
【発明を実施するための最良の形態】
【０００８】
第１の発明は、熱交換器と、送風機と、エアフィルターと、移動可能に設けられると共に前記エアフィルターに付着したホコリを吸引する吸引ノズルと、ファンを内蔵すると共に、前記吸引ノズルと連通した排塵・換気装置と、前記排塵・換気装置の排気側と屋外とを連通するホースと、前記排塵・換気装置に設けられた換気口と、前記換気口を開閉する扉とを備え、前記扉を、前記吸引ノズルに設けた突起で開成するようにしたもので、扉を閉じた状態では、吸引ノズルでエアフィルターから吸引したホコリをホースを通して室外に排出でき、扉を開いたときには、換気口から多量の室内の空気を吸引して、換気が出来ると共に、排塵・換気装置内に残ったホコリをホースを介して室外に排出でき、更に、扉の開成を前記吸引ノズルに設けた突起で行うので、扉を動作させるためのステッピングモータや、ステッピングモータを制御する制御装置、配線などが不要となり、構造の合理化を行うことができる。
【０００９】
第２の発明は、特に、第１の発明の吸引ノズルを左右に移動可能に設け、前記吸引ノズルが一側に移動したときに、前記吸引ノズルの突起が扉に当接して前記扉を開成すると共に、前記扉を閉じる方向に回動付勢するバネを設けたもので、安価な構成で、吸引ノズルでホコリを吸引する通常動作時に、扉を閉じた状態で保持することが出来る。
【００１０】
以下、本発明の実施の形態について図面を参照しながら説明する。なおこの実施の形態によって本発明が限定されるものではない。
【００１１】
（実施の形態１）
図１は、本発明の実施の形態１における空気調和機のエアフィルター清掃セットの斜視図、図２は、同空気調和機の扉開閉部位を説明する図、図３は、同空気調和機の排塵・換気装置の部分断面図である。
【００１２】
図１〜３において、本実施の形態における空気調和機の室内機（図示せず）は、熱交換器（図示せず）と、室内の空気を取り入れ前記熱交換器にその空気を通過させるための送風機（図示せず）と、室内機内に流入する空気に含まれるホコリを除去するエアフィルター清掃セット１０を備えている。
【００１３】
エアフィルター清掃セット１０は、室内機のフロントグリル（図示せず）の裏面に配置され、エアフィルター枠１と、エアフィルター２と、エアフィルター２に取り付けられ、送風機で吸引された空気中のホコリをとるネット２ａを備えている。３は、エアフイルター２の風上側で左右に移動可能に配され、ネット２ａに付着したホコリを吸引する吸引ノズルで、４は、吸引ノズル３の左右の移動時に、それを案内するガイドレールであり、５は、吸引ノズル３から吸引したホコリを排塵・換気装置６に送る吸引ダクトである。
【００１４】
７は、排塵・換気装置６の排気側に設けられた換気・排塵口であり、８は、換気・排塵口７に連結され、屋外に連通したホースである。１１は、室内への換気口であり、ここには、ダンパー機構を有する扉１３が配置されている。１４は、排塵・換気装置６に内蔵されたファンである。本実施の形態では、排塵・換気装置６は、室内機の内部側面に配置されている。
【００１５】
即ち、本実施の形態における空気調和機は、室内機の内部に熱交換器と送風機を有し、扉１３を閉じた状態で、ファン１４を回転させることにより、エアフィルター２に付着したホコリを、エアフィルター２の風上側に配され左右に動く吸引ノズル３で吸引し、ホース８を通して室外に排塵する排塵機能と、扉１３を開けた状態で、ファン１４を回転させることにより、室内の空気を換気口１１から吸引し、ホース８を通して室外に排出する換
気機能を持つようにしたものである。
【００１６】
以上のように構成された空気調和機の室内機のエアフィルター清掃セットのダンパー機構の動作における動作と作用を説明する。
【００１７】
送風機の送風作用により、熱交換器にて空気調和される際に、エアフィルター２のネット２ａに、室内のホコリが堆積する。ガイドレール４に沿って、左右に駆動される吸引ノズル３により、そのホコリが吸引されて、吸引ダクト５を通って、排塵・換気装置６内のファン１４の回転により、排塵される。ホコリは、換気・排塵口７とホース８を通って、屋外に自動的に排塵されるため、エアフィルター２のメンテナンスは不要になるが、排塵・換気装置６内部に塵が堆積するため、これを防止するために、定期的に大風量を、排塵・換気装置６内部に流す必要がある。
【００１８】
従来、これを実現するために、排塵・換気装置６に配置した扉１３を駆動モーター（図示せず）を使って、開閉することで対応しているが、本実施の形態では、エアフィルター２のホコリの吸引を実行しながら、吸引ノズル３が、排塵・換気装置６の近側面まで移動し停止した際に、吸引ノズル３に設置された突起９が、扉１３に当接して、扉１３を開くようにしている。
【００１９】
１２は、扉１３を閉じる方向に回動付勢するコイル状のバネで、扉１３が突起９で押し開かれる場合を除いては、バネ１２の付勢力により、扉１３が自力で閉じるようになっており、通常の換気動作時には、エアフィルター２上における吸引ノズル３の吸引力を損なわない構造となっている。
【産業上の利用可能性】
【００２０】
以上のように、本発明に係る空気調和機は、ダンパ機構を安価に構成できるもので、排塵装置を備えた自動清掃吸引ノズルを搭載する構造を持つ機器であれば、空気調和機に限らず広く適用できる。
【図面の簡単な説明】
【００２１】
【図１】本発明の第１の実施の形態における空気調和機のエアフィルター清掃セットの斜視図
【図２】同空気調和機の扉開閉部位を説明する図
【図３】同空気調和機の排塵・換気装置の部分断面図
【符号の説明】
【００２２】
１  エアフィルター枠
２  エアフィルター
２ａ  ネット
３  吸引ノズル
４  ガイドレール
５  吸引ダクト
６  排塵・換気装置
７  換気・排塵口
８  ホース
９  突起
１１  換気口
１２  バネ
１３  扉
１４  ファン
【図１】
2010139084.tif 000003
【図２】
2010139084.tif 000004
【図３】
2010139084.tif 000005